(57)【要約】【課題】  同一人物の顔の表情を変化させることができるとともに、変化の途中の過程を表示できるものを提供する。【解決手段】  相対移動可能に組み合わされる第１フレーム２と第２フレーム１２と、両フレーム２、１２間に両フレーム２、１２と同一方向に移動可能に設けられるとともに、移動方向と直交する方向に複数の小片２１に分割され、かつ、各小片２１が独立して移動可能な画像板１８と、画像板１８の表面に設けられる画像と、第２フレーム１２に一体に設けられるとともに、画像板１８の各小片２１を押圧して同方向に移動させる押圧部１６と、第１フレーム２に設けられるとともに、画像板１８の各小片２１に当接して各小片２１の移動を制限する制限部とを備える。【選択図】        図５
2005168983.tif 000002
【特許請求の範囲】
【請求項１】
相対移動可能に組み合わされる第１フレームと第２フレームと、両フレーム間に両フレームと同一方向に移動可能に設けられるとともに、移動方向と直交する方向に複数の小片に分割され、かつ、各小片が独立して移動可能な画像板と、画像板の表面に設けられる画像と、前記第２フレームに一体に設けられるとともに、前記画像板の各小片を押圧して同方向に移動させる押圧部と、前記第１フレームに設けられるとともに、前記画像板の各小片に当接して各小片の移動を制限する制限部とを備えてなることを特徴とする画像変形装置。
【請求項２】
前記押圧部は、前記画像板の各小片に当接可能な所定の形状の押圧面を有し、該押圧面により各小片を押圧することにより、各小片が押圧面の形状に応じて移動するように構成されている請求項１に記載の画像変形装置。
【請求項３】
前記制限部は、前記押圧面に合致する形状の制限面を有し、該制限面に前記画像板の各小片の移動方向へ向かう端部を当接させることにより、各小片のそれ以上の移動が制限される請求項２に記載の画像変形装置。
【請求項４】
相対移動可能に組み合わされる第１フレームと第２フレームと、両フレーム間に両フレームと同一方向に移動可能に設けられるとともに、移動方向と直交する方向に複数の小片に分割され、かつ、各小片が独立して移動可能な画像板と、画像板の表面又は裏面の少なくとも何れか一方に設けられる画像と、前記第２フレームに一体に設けられるとともに、前記画像板の各小片を一方向に押圧して同方向に移動させる第１押圧部と、前記第２フレームに一体に設けられるとともに、前記画像板の各小片を他方向に押圧して同方向に移動させる第２押圧部と、前記第１フレームに設けられるとともに、前記画像板の各小片に当接して各小片の一方向への移動を制限する第１制限部と、前記第１フレームに設けられるとともに、前記画像板の各小片に当接して各小片の他方向への移動を制限する第２制限部とを備えてなることを特徴とする画像変形装置。
【請求項５】
前記第１押圧部は、前記画像板の各小片に当接可能な所定の形状の押圧面を有し、該押圧面により各小片を押圧することにより、各小片が押圧面の形状に応じて一方向に移動するように構成されるとともに、前記第２押圧部は、前記画像板の各小片に当接可能な所定の形状の押圧面を有し、該押圧面を各小片に当接させることにより、各小片が押圧面の形状に応じて他方向に移動するように構成されている請求項４に記載の画像変形装置。
【請求項６】
前記第１制限部は、前記第１押圧部の押圧面に合致する形状の制限面を有し、該制限面に前記画像板の各小片の移動方向端部を当接させることにより、各小片の一方向へのそれ以上の移動が制限されるとともに、前記第２制限部は、前記第２押圧部の押圧面に合致する形状の制限面を有し、該制限面に前記画像板の各小片の移動方向端部を当接させることにより、各小片の他方向へのそれ以上の移動が制限されている請求項５に記載の画像変形装置。
【発明の詳細な説明】
【技術分野】
【０００１】
本発明は、画像変形装置に関し、特に、顔の表情を変化させることにより笑顔、泣き顔、怒り顔等を形成するとともに、表情の変化の途中の過程をも表示させることができる画像変形装置に関するものである。
【背景技術】
【０００２】
人物の顔の画像が表示された下側のシートと、この顔の画像に重畳すべき帽子の画像が表示された上側の透明シートとを準備し、これらを重畳させることにより、帽子を被った人物の顔を表示し、上側の透明シートを剥がすことにより、帽子を被らない画像に変化させることのできる画像表示具が知られている。また、複数の画像を重畳して表示したシートに偏光板を被せ、偏光作用を利用して、観る方向によって前記複数の画像を選択的に観察できるようにした画像表示具が知られている。
また、顔の特徴部分（例えば目や鼻や口）を修正してユーザの携帯端末上に表示させる技術が公開されている（非特許文献１参照）。
【非特許文献１】“整形ゲーム「フェイセア」ＦａｃｅＡ”、「online」、株式会社イー・スペース、「平成１５年８月１５日検索」、インターネット＜URL：http://facea.jp/pc/whats.html＞
【発明の開示】
【発明が解決しようとする課題】
【０００３】
上記の複数のシートを用いた画像表示具にあっては、各シートに表示すべき複数の画像を準備することが必要とされ、また、偏光板を用いた画像表示具にあっては、一枚の画像を準備すれば足りるものの、重畳された画像のいずれかを択一的に観察できるに止まり、例えば、同一人物において、笑顔、泣顔、怒り顔等の様々な表情を作成することや、表情の変化の過程の画像を得ることができない。また、非特許文献１に記載された整形ゲームにおいては、同一人物の顔を整形することができるが、パソコンやゲーム専用機等、プロセッサ、キーボード、ディスプレイから構成された電子機器を用いて初めて使用し得るものであり、表情の変化等を手軽に楽しめるものではなかった。
【０００４】
本発明は、上記のような従来の問題に鑑みてなされたものであって、電子機器を用いることなく、手軽に、同一人物において、笑顔、泣顔、怒り顔等の様々な表情の顔を作成することができるとともに、笑顔から怒り顔等に変化する途中の過程を表示させることができる画像変形装置を提供することを目的とするものである。
【課題を解決するための手段】
【０００５】
上記のような課題を解決するために、本発明は、以下のような手段を採用している。
すなわち、請求項１に係る発明は、相対移動可能に組み合わされる第１フレームと第２フレームと、両フレーム間に両フレームと同一方向に移動可能に設けられるとともに、移動方向と直交する方向に複数の小片に分割され、かつ、各小片が独立して移動可能な画像板と、画像板の表面に設けられる画像と、前記第２フレームに一体に設けられるとともに、前記画像板の各小片を押圧して同方向に移動させる押圧部と、前記第１フレームに設けられるとともに、前記画像板の各小片に当接して各小片の移動を制限する制限部とを備えてなることを特徴とする。
本発明による画像変形装置によれば、第２フレームを第１フレームに対して相対的に移動させて、第２フレームの押圧部で画像板の各小片を押圧し、各小片を同方向に移動させることにより、画像板の各小片の表面の画像が変化することになる。この場合、画像板の各小片に第１フレームの制限部が当接することにより各小片のそれ以上の移動が制限され、画像板の表面の画像が変形した状態に保持されることになる。
【０００６】
請求項２に係る発明は、請求項１に記載の画像形成装置であって、前記押圧部は、前記画像板の各小片に当接可能な所定の形状の押圧面を有し、該押圧面により各小片を押圧することにより、各小片が押圧面の形状に応じて移動するように構成されていることを特徴とする。
本発明による画像変形装置によれば、第２フレームを第１フレームに対して相対的に移動させて、第２フレームの押圧部の押圧面で画像板の各小片を押圧することにより、各小片が押圧面の形状に応じて同方向に移動し、画像板の各小片の表面の画像が変化することになる。
【０００７】
請求項３に係る発明は、請求項２に記載の画像形成装置であって、前記制限部は、前記押圧面に合致する形状の制限面を有し、該制限面に前記画像板の各小片の移動方向端部を当接させることにより、各小片のそれ以上の移動が制限されることを特徴とする。
本発明による画像形成装置によれば、第２フレームを第１フレームに対して相対的に移動させて、第２フレームの押圧部の押圧面で画像板の各小片を押圧することにより、各小片が押圧面の形状に応じて同方向に移動し、画像板の各小片の表面の画像が変化することになる。この場合、画像板の各小片に第１フレームの制限部の制限面が当接することにより、各小片のそれ以上の移動が制限され、画像板の表面の画像が変形した状態に保持されることになる。
【０００８】
請求項４に係る発明は、相対移動可能に組み合わされる第１フレームと第２フレームと、両フレーム間に両フレームと同一方向に移動可能に設けられるとともに、移動方向と直交する方向に複数の小片に分割され、かつ、各小片が独立して移動可能な画像板と、画像板の表面又は裏面の少なくとも何れか一方に設けられる画像と、前記第２フレームに一体に設けられるとともに、前記画像板の各小片を一方向に押圧して同方向に移動させる第１押圧部と、前記第２フレームに一体に設けられるとともに、前記画像板の各小片を他方向に押圧して同方向に移動させる第２押圧部と、前記第１フレームに設けられるとともに、前記画像板の各小片に当接して各小片の一方向への移動を制限する第１制限部と、前記第１フレームに設けられるとともに、前記画像板の各小片に当接して各小片の他方向への移動を制限する第２制限部とを備えてなることを特徴とする。
本発明による画像変形装置によれば、第２フレームを第１フレームに対して相対的に一方向に移動させて、第２フレームの第１押圧部で画像板の各小片を一方向に押圧し、各小片を同方向に移動させることにより、画像板の各小片の表面の画像が変化することになる。この場合、画像板の各小片に第１フレームの第１制限部が当接することにより、各小片のそれ以上の同方向への移動が制限され、画像板の表面の画像が変形した状態に保持されることになる。
また、第２フレームを第１フレームに対して相対的に他方向に移動させて、第２フレームの第２押圧部で画像板の各小片を他方向に押圧し、各小片を同方向に移動させることにより、画像板の各小片の表面の画像が変化することになる。この場合、画像板の各小片に第１フレームの第２制限部が当接することにより、各小片のそれ以上の同方向への移動が制限され、画像板の表面の画像が変形した状態に保持されることになる。
【０００９】
請求項５に係る発明は、請求項４に記載の画像形成装置であって、前記第１押圧部は、前記画像板の各小片に当接可能な所定の形状の押圧面を有し、該押圧面により各小片を押圧することにより、各小片が押圧面の形状に応じて一方向に移動するように構成されるとともに、前記第２押圧部は、前記画像板の各小片に当接可能な所定の形状の押圧面を有し、該押圧面を各小片に当接させることにより、各小片が押圧面の形状に応じて他方向に移動するように構成されていることを特徴とする。
本発明による画像変形装置によれば、第２フレームを第１フレームに対して相対的に一方向に移動させて、第２フレームの第１押圧部の押圧面で画像板の各小片を一方向に押圧することにより、各小片が押圧面の形状に応じて同方向に移動し、画像板の各小片の表面の画像が変化することになる。
また、第２フレームを第１フレームに対して相対的に他方向に移動させて、第２フレームの第２押圧部の押圧面で画像板の各小片を他方向に押圧することにより、各小片が押圧面の形状に応じて同方向に移動し、画像板の各小片の表面の画像が変化することになる。
【００１０】
請求項６に係る発明は、請求項５に記載の画像形成装置であって、前記第１制限部は、前記第１押圧部の押圧面に合致する形状の制限面を有し、該制限面に前記画像板の各小片の移動方向端部を当接させることにより、各小片の一方向へのそれ以上の移動が制限されるとともに、前記第２制限部は、前記第２押圧部の押圧面に合致する形状の制限面を有し、該制限面に前記画像板の各小片の移動方向端部を当接させることにより、各小片の他方向へのそれ以上の移動が制限されていることを特徴とする。
本発明による画像形成装置によれば、第２フレームを第１フレームに対して相対的に一方向に移動させて、第２フレームの第１押圧部の押圧面で画像板の各小片を一方向に押圧することにより、各小片が押圧面の形状に応じて同方向に移動し、画像板の各小片の表面の画像が変化することになる。この場合、画像板の各小片に第１フレームの第１制限部の制限面が当接することにより、各小片のそれ以上の同方向への移動が制限され、画像板の表面の画像が変形した状態に保持されることになる。
また、第２フレームを第１フレームに対して相対的に他方向に移動させて、第２フレームの第２押圧部の押圧面で画像板の各小片を他方向に押圧することにより、各小片が押圧面の形状に応じて同方向に移動し、画像板の各小片の表面の画像が変化することになる。この場合、画像板の各小片に第１フレームの第２制限部の制限面が当接することにより、各小片のそれ以上の同方向への移動が制限され、画像板の表面の画像が変形した状態に保持されることになる。
【発明の効果】
【００１１】
以上、説明したように、本発明によれば、第２フレームを第１フレームに対して相対的に移動させて、第２フレームの押圧部で画像板の各小片を押圧し、各小片を同方向に移動させることにより、画像板の各小片の表面の画像が変化することになる。
従って、画像板の表面に人物画の所定の表情の顔を設けておくことにより、例えば、顔の表情を笑顔から怒り顔等に変化させることができるとともに、笑顔から怒り顔に変化する途中の過程を逐一表示させることができる。この結果、一枚の画像を用いて、例えばその画像である顔の表情を種々の表情に変化させることができるとともに、変化の途中の過程を逐一表示させることができるので、プロセッサ、キーボード、ディスプレイから構成されたパソコンやゲーム専用機等の電子機器を用いることなく、顔の表情などの画像を変化させることができる。
【００１２】
また、本発明によれば、第２フレームを第１フレームに対して相対的に移動させて、第２フレームの押圧部の押圧面で画像板の各小片を押圧することにより、各小片が押圧面の形状に応じて同方向に移動し、画像板の表面の画像が変化することになる。
従って、第２フレームの押圧部の押圧面を適宜の形状に設定することにより、その形状に応じて画像の変化の度合いを調整することができるので、様々な表情を作成することができる。
【００１３】
さらに、本発明によれば、第２フレームを第１フレームに対して相対的に一方向に移動させて、第２フレームの第１押圧部で画像板の各小片を一方向に押圧し、各小片を同方向に移動させることにより、画像板の各小片の表面又は裏面の画像が変化することになる。また、第２フレームを第１フレームに対して相対的に他方向に移動させて、第２フレームの第２押圧部で画像板の各小片を他方向に押圧し、各小片を同方向に移動させることにより、画像板の各小片の表面の画像が変化することになる。
従って、画像板の表面又は裏面に人物画の所定の表情の顔を設けておくことにより、例えば、顔の表情を笑顔から怒り顔等に変化させることができるとともに、笑顔から怒り顔に変化する途中の過程を逐一表示させることができる。この結果、同一人物の顔を種々の表情に変化させることができるとともに、変化の途中の過程を逐一表示させることができる。さらに、第１フレームに対して第２フレームを相対的に一方向又は他方向に移動させることにより、画像を変化させることができる。
【００１４】
さらに、本発明によれば、第２フレームを第１フレームに対して相対的に一方向に移動させて、第２フレームの第１押圧部の押圧面で画像板の各小片を一方向に押圧することにより、各小片が押圧面の形状に応じて同方向に移動し、画像板の各小片の表面の画像が変化することになる。また、第２フレームを第１フレームに対して相対的に他方向に移動させて、第２フレームの第２押圧部の押圧面で画像板の各小片を他方向に押圧することにより、各小片が押圧面の形状に応じて同方向に移動し、画像板の各小片の表面の画像が変化することになる。
従って、第２フレームの第１押圧部の押圧面及び第２押圧部の押圧面を適宜の形状に設定することにより、その形状に応じて画像の変化の度合いを調整することができるので、様々な顔の表情を作成することができる。
【発明を実施するための最良の形態】
【００１５】
以下、図面を参照しつつ、本発明の実施の形態について説明する。
図１〜図８には、本発明による画像変形装置の第１の実施の形態が示されていて、図１は第１フレームの平面図、図２は第２フレームの平面図、図３は第１フレームと画像板との関係を示した斜視図、図４は第１フレーム及び画像板と第２フレームとの関係を示した斜視図、図５は第１フレームと画像板と第２フレームとの関係を示した斜視図、図６は第１フレームと第２フレームとの関係を示した斜視図、図７は初期状態を示した部分平面図、図８は変形状態を示した部分平面図である。
【００１６】
すなわち、この画像変形装置１は、図３〜図５に示すように、一方向（図５の矢印方向）に相対移動可能に組み合わされる第１フレーム２と第２フレーム１２と、両フレーム２、１２間に設けられるとともに、両フレーム２、１２の移動方向と同一方向に移動可能な画像板１８と、画像板１８に設けられる画像と、画像板１８を移動方向に押圧する押圧部１６と、画像板１８の移動を制限する制限部８とを備えている。
【００１７】
第１フレーム２は、図１、図３及び図４に示すように、長方形板状の基板３と、基板３の上面側に一体に設けられる案内部４とから構成され、案内部４によって画像板１８が基板３の長手方向に移動可能に案内されている。
【００１８】
案内部４は、図１、図３及び図４に示すように、基板３の上面側の幅方向の両端部に基板３の長手方向に沿って一体に設けられる一対の内壁５、５と、基板３の上面側の長手方向の他端部に基板３の幅方向に沿って一体に設けられるとともに、両端が両内壁５、５の長手方向の他端部間に連結される下壁７と、両内壁５、５の長手方向の一端部の上面間に一体に設けられる長方形板状の第１上壁１０とから構成されている。
【００１９】
案内部４の両内壁５、５の長手方向の他端部には、両内壁５、５の他の部分よりも一段低い段部６、６が設けられ、この段部６、６の上面は下壁７の上面と面一に形成され、この段部６、６及び下壁７の上部に後述する第２フレーム１２の第２上壁１４が係合されている。
【００２０】
案内部の両内壁５、５の内側面と下壁７の内側面とによって囲まれる部分には、上方が開口するコ形状の凹部１１が設けられ、この凹部１１内に後述する画像板１８が移動可能に挿着されている。画像板１８は、案内部４の第１上壁１０と後述する第２フレーム１２の第２上壁１４との協働により、凹部１１から上方に抜け出るのが防止されている。
【００２１】
案内部４の下壁７は、後述する画像板１８の移動を制限する制限部８を兼用している。すなわち、下壁７の内側面が画像板１８の移動を制限する制限面９に形成され、この制限面９に画像板１８の長手方向の他端面が当接することにより、画像板１８の基板３の長手方向への移動が制限されている。
【００２２】
制限部８の制限面９の形状は、特に限定されるものではなく、この実施の形態においては、各内壁５に連続する各内壁５と直交するフラット面９ａと、各フラット面９ａに連続する基板３の長手方向に凹む山形状の凹面９ｂと、凹面９ｂ、９ｂ間に位置する基板３の長手方向に突出する山形状の凸面９ｃとによって構成され、この制限面９は後述する押圧部１６の押圧面１７と合致する形状に形成されている。
【００２３】
画像板１８は、図３、図４及び図５に示すように、案内部４の凹部１１に合致する長方形板状に形成される本体部１９と、本体部１９の上面中央部に突出した状態で一体に設けられる長方形板状の画像部２０とから構成され、この画像部２０の上面に画像（人物の顔）が適宜の方法（顔幅方向へ分割された写真や肖像画を貼着する、描く等の方法）により設けられている。
【００２４】
画像板１８の本体部１９の長手方向の他端部の上部には、後述する第２フレーム１２の第２上壁１４が係合され、この第２上壁１４の内側面に画像板１８の画像部２０の長手方向の他端面が当接可能に構成されている。画像板１８の本体部１９の長手方向の一端部の上部には、案内部４の第１上壁１０が係合され、この第１上壁１０の内側面に画像板１８の画像部２０の長手方向の一端面が当接可能に構成されている。
【００２５】
画像板１８は、幅方向に複数の小片２１に分割され、これらの小片２１を組み合わせることにより長方形板状に形成されている。この場合、各小片２１は、それぞれ独立して移動可能に構成されている。
【００２６】
なお、この実施の形態においては、画像板１９を幅方向に１５個の小片２１に分割し、各小片２１を同一形状（幅）に形成しているが、それ以下の個数又はそれ以上の個数に分割したり、顔の各パーツの大きさに応じて異なる形状に分割しても良い。
【００２７】
第２フレーム１２は、図２、図４及び図５に示すように、第１フレーム２よりも一回り小さい長方形状に形成されるものであって、第１フレーム２の上面側に第１フレーム２の長手方向に相対移動可能に取り付けられている。
【００２８】
すなわち、第２フレーム１２は、第１フレーム２の案内部４の両内壁５、５の外側に相対的に移動可能に係合される一対の外壁１３、１３と、両外壁１３、１３の長手方向の他端部の上面間に一体に連結されるとともに、第１フレーム２の両内壁５、５の両段部６、６及び下壁７の上部に係合される長方形板状の第２上壁１４と、両外壁１３、１３の長手方向の一端部に一体に連結される基板１５とから構成されている。
【００２９】
基板１５は、図２及び図４に示すように、略長方形板状をなすものであって、長手方向の他端部が両外壁１３、１３の長手方向の一端部の下面間に一体に連結され、一端部が両外壁１３、１３の長手方向の一端から外方に所定の長さ突出している。
【００３０】
基板１５は、第１フレーム２の基板３の長手方向の一端部の上部に、第１フレーム２の長手方向に移動可能に設けられるとともに、長手方向の他端部が第１フレーム２の第１上壁１０の下面側に挿入され、この挿入された長手方向の他端部が画像板１８の各小片２１を押圧する押圧部１６に形成されている。
【００３１】
すなわち、基板１５の長手方向の他端部の内側面（案内部４の凹部１１に対向する面）は、画像板１８の各小片２１の長手方向の一端面に当接する押圧面１７に形成され、この押圧面１７で画像板１８の各小片２１の長手方向の一端面を押圧することにより、画像板１８の各小片２１を第１フレーム２上を長手方向に移動させることができる。
【００３２】
押圧部１６の押圧面１７の形状は、第１フレーム２の制限部８の制限面９に合致する形状に形成されている。すなわち、押圧部１６の押圧面１７は、各外壁１３に連続する各外壁１３と直交するフラット面１７ａと、各フラット面１７ａに連続する基板１５の長手方向に突出する一対の山形状の凸面１７ｂ、１７ｂと、両凸面１７ｂ、１７ｂ間に位置する基板１５の長手方向に凹む山形状の凹面１７ｃとによって構成されている。
【００３３】
そして、図３及び図４に示すように、上記のように構成した第１フレーム２の案内部４の凹部１１内に画像板１８の各小片２１を位置し、この状態で図５に示すように第１フレーム２の上部に第２フレーム１２を位置し、第２フレーム１２の基板１５の押圧部１６を案内部４の第１上壁１０の下側に挿入させ、両外壁１３、１３を案内部４の両内壁５、５の外側に係合させ、第２上壁１４を案内部４の両段部６、６及び下壁７の上部に係合させることで、この実施の形態による画像形成装置１を構成する。
【００３４】
そして、図５及び図７に示すように、画像形成装置１の第２フレーム１２を第１フレーム２に対して相対的に移動させ、第１上壁１０の内側面に画像板１８の画像部２０の長手方向の一端面を当接させ、第２上壁１４の内側面に画像部２０の長手方向の他端面を当接させ、この状態を初期状態とする。
【００３５】
そして、図７に示す初期状態から、第２フレーム１２の基板１５を操作し、図８に示すように、第２フレーム１２を長手方向に相対移動させ、第２フレーム１２の押圧部１６の押圧面１７で画像板１８の各小片２１の長手方向の一端面を押圧し、各小片２１を移動させて各小片２１の長手方向の他端面を第１フレーム２の制限部８の制限面９に当接させ、この状態を変形状態とする。
【００３６】
このように、初期状態から画像板１８の各小片２１を少しずつ移動させて変形状態とすることにより、画像板１８の画像部２０に設けた画像（人物の顔）の表情を例えば笑顔から怒り顔に変化させることができるとともに、変化の途中の過程を逐一表示させることができる。尚、一般に、人の表情は、中央（鼻を通る線）が下がり、両端（目尻を通る線）が上がると怒った印象となり、逆の場合は穏やかな印象となる。また、眉の中央（瞳）を通る線が上がると、笑った印象を受けることになるから、これら鼻、瞳、目尻を通る線に相当する画像に分割しておくことにより、より効果的に表情を変化させることができる。
【００３７】
図９〜図２０には、本発明による画像形成装置の第２の実施の形態が示されていて、図９は表面側から見た平面図、図１０は図９の正面図、図１１は裏面側から見た平面図、図１２は図１１の正面図、図１３は第２フレームの平面図、図１４は図１３の正面図、図１５は第１フレームの平面図、図１６は図１５の正面図、図１７は画像板の平面図、図１８は画像板の側面図、図１９は第１整列板の平面図、図２０は第２整列板の平面図である。
【００３８】
すなわち、この画像形成装置３１は、図９〜図１２に示すように、一方向に相対移動可能に組み合わされる第１フレーム３２と第２フレーム４９と、両フレーム３２、４９間に設けられるとともに、両フレーム３２、４９の移動方向と同一方向に移動可能な画像板６０と、画像板６０に設けられる画像６５と、画像板６０を移動方向に押圧する押圧部５４、５６と、画像板６０の移動を制限する制限部３７、３９とを備えている。
【００３９】
第１フレーム３２は、図１１、図１５、図１６に示すように、長方形板状の基板３３と、基板３３の幅方向の一端部に全長に渡って設けられる案内レール３４と、基板３３の幅方向の他端部に全長に渡って設けられる案内溝３５とから構成され、案内レール３４を後述する第２フレーム４９の案内溝５１内に係合させ、案内溝３５内に後述する第２フレーム４９の案内レール５２を係合させることにより、第１フレーム３２と第２フレーム４９とが相対移動可能に組み合わされている。
【００４０】
第１フレーム３２の基板３３の中央部には、略長方形状の開口部３６が上下面間を貫通した状態で設けられ、この開口部３６内に後述する画像板６０の下画像６３部が第１フレーム３２の長手方向に移動可能に挿入されている。
【００４１】
開口部３６の長手方向の両端部には第１制限部３７及び第２制限部３９がそれぞれ設けられ、第１制限部３７の制限面３８に後述する画像板６０の下画像部６３の長手方向の一端面を当接させることにより、画像板６０のその方向へのそれ以上の移動が制限され、第２制限部３９の制限面４０に後述する画像板６０の下画像部６３の長手方向の他端面を当接させることにより、画像板６０のその方向へのそれ以上の移動が制限される。
【００４２】
第１フレーム３２の基板３３の長手方向の両端部の上面側には、第１整列板４１及び第２整列板４５それぞれ第１フレーム３２の長手方向に所定の範囲内を移動可能に設けられている。第１整列板４１は、図１９に示すように、基板３３の全幅に渡って設けられる長方形板状の本体部４２と、本体部４２の両端部に一体に設けられる一対の支持部４３、４３とから構成されている。第２整列板４５は、図２０に示すように、基板３３の全幅に渡って設けられる長方形板状の本体部４６と、本体部４７の両端部に一体に設けられる一対の支持部４７、４７とから構成されている。第１整列板４１及び第２整列板４５の各支持部４３、４７の先端部の上面側にはそれぞれ係合突起４４、４８が一体に設けられ、この係合突起４４、４８を後述する第２フレーム４９の基板５０の幅方向の両端部の係合孔５８内に係合させることにより、第１整列板４１及び第２整列板４５が第１フレーム３２の長手方向に所定の範囲内を移動可能に支持される。
【００４３】
第１整列板４１と第２整列板４５とを互いに接近する方向に移動させて、第１整列板４１の本体部４２の整列面を画像板６０の長手方向の一端面に当接させ、第２整列板４５の本体部４６の整列面を画像板６０の長手方向の他端面に当接させることにより、画像板６０の各小片６４が整列された状態で両フレーム３２、４９間に位置決めされ、この状態が後述する初期状態となる。
【００４４】
第１制限部３７及び第２制限部３９の制限面３８、４０の形状は、特に限定されるものではなく、この実施の形態においては、第１制限部３７の制限面３８は、両端に位置するフラット面３８ａ、各フラット面３８ａに連続する基板３３の長手方向に凹む山形状の一対の凹面３８ｂ、３８ｂ、両凹面３８ｂ、３８ｂ間に位置する基板３３の長手方向に突出する山形状の凸面３８ｃによって構成され、第２制限部３９の制限面４０は、両端に位置するフラット面４０ａ、各フラット面４０ａに連続する基板３３の長手方向に突出する山形状の一対の凸面４０ｂ、４０ｂ、両凸面４０ｂ、４０ｂ間に位置する基板３３の長手方向に凹む山形状の凹面４０ｃによって構成されている。
【００４５】
画像板６０は、図１７及び図１８に示すように、長方形板状の本体部６１と、本体部６１の上面中央部に突出した状態で一体に設けられる長方形板状の上画像部６２と、本体部６１の下面中央部に突出した状態で一体に設けられる長方形板状の下画像部６３とから構成され、上画像部６２及び下画像部６３の上面にそれぞれ画像（人物の顔）６５が適宜の方法（写真を貼着する、描く等の方法）により設けられている。
【００４６】
画像板６０は、図９、図１１に示すように、第１フレーム３２と第２フレーム４９との間に両フレーム３２、４９の長手方向に移動可能に設けられている。この場合、画像板６０の本体部６１の長手方向の両端部は、第1フレーム３２の基板３３の開口部３６の縁部と後述する第２フレーム４９の基板５０の開口部５３の縁部との間に位置し、下画像部６３は第１フレーム３２の開口部３６内に位置し、上画像部６２は後述する第２フレーム４９の基板５０の開口部５３内に位置している。
【００４７】
画像板６０は、幅方向に複数の小片６４に分割され、これらの小片６４を組み合わせることにより長方形板状に形成されている。この場合、各小片６４は、それぞれ独立して移動可能に構成されている。
【００４８】
なお、この実施の形態においては、画像板６０を幅方向に１５個の小片６４に分割し、各小片６４を同一形状に形成しているが、それ以下の個数又はそれ以上の個数に分割しても良い。
【００４９】
第２フレーム４９は、図９、図１３、図１４に示すように、第１フレーム３２と略同一形状に形成されるものであって、長方形板状の基板５０と、基板５０の幅方向の一端部に全長に渡って設けられる案内溝５１と、基板５０の幅方向の他端部に全長に渡って一体に設けられる案内レールと５２から構成されている。第２フレーム４９は、案内溝５１内に第１フレーム３２の案内レール３４を係合させ、案内レール５２を第１フレーム３２の案内溝３５内に係合させることにより、第１フレーム３２の上部に両フレーム３２、４９の長手方向に相対移動可能に取り付けられる。
【００５０】
第２フレーム４９の基板５０の中央部には、略長方形状の開口部５３が上面間を貫通した状態で設けられ、この開口部５３内に画像板６０の上画像部６２が第２フレーム４９の長手方向に移動可能に挿入されている。
【００５１】
開口部５３の長手方向の両端部には第１押圧部５４及び第２押圧部５６がそれぞれ設けられ、第１押圧部５４の押圧面５５を画像板６０の上画像部６２の長手方向の一端面に当接させることにより、画像板６０の各小片６４をその方向へ移動させることができ、第２押圧部５６の押圧面５７を上画像部６２の長手方向の他端面に当接させることにより、画像板６０の各小片をその方向へ移動させることができる。
【００５２】
第１押圧部５４及び第２押圧部５６の押圧面５５、５７の形状は、特に限定されるものではなく、この実施の形態においては、第１押圧部５４の押圧面５５は、両端に位置するフラット面５５ａ、各フラット面５５ａに連続する基板５０の長手方向に突出する一対の凸面５５ｂ、５５ｂ、両凸面５５ｂ、５５ｂ間に位置する基板５０の長手方向に凹む山形状の凸面５５ｃによって構成され、第２押圧部５６の押圧面５７は、両端に位置するフラット面５７ａ、各フラット５７ａ面に連続する基板５０の長手方向に凹む一対の山形状の凹面５７ｂ、５７ｂ、両凹面５７ｂ、５７ｂ間に位置する基板５０の長手方向に突出する山形状の凸面５７ｃによって構成されている。
【００５３】
第２フレーム４９の基板５０の幅方向の両端部には、長手方向に所定の間隔をおいて一対の長方形状の係合孔５８、５８がそれぞれ貫通した状態で設けられ、各係合孔５８内に前述した第１整列板４１の係合突起４４及び第２整列板４５の係合突起４８がそれぞれ係合され、これにより、第１フレーム３２と第２フレーム４９との間に第１整列板４１及び第２整列板４５が両フレーム３２、４９の長手方向に所定の範囲内を移動可能に構成される。
【００５４】
そして、上記のように構成した第１フレーム３２の基板３３の上部に画像板６０の各小片６４を位置して下画像部６３を基板３３の開口部３６内に挿入するとともに、基板３３の長手方向の両端部の上面側にそれぞれ第１整列板４１及び第２整列板４５を位置し、この状態で、第１フレーム３２の上部に第２フレーム４９を位置し、第１フレーム３２の案内レール３４を第２フレーム４９の案内溝５１内に係合させ、第１フレーム３２の案内溝３５内に第２フレーム４９の案内レール５２を係合させ、画像板６０の上画像部６２を第２フレーム４９の開口部５３内に位置させ、第１整列板４１の係合突起４４及び第２整列板４５の係合突起４８をそれぞれ第２フレーム４９の基板５０の係合孔５８内に係合させることで、この実施の形態による画像形成装置３１を構成する。
【００５５】
そして、第１整列板４１と第２整列板４５とを互いに接近する方向に移動させ、両整列板４１、４５の本体部４２、４６の整列面間で画像板６０の各小片６４の長手方向の両端面を押圧して各小片６４を整列させ、この状態を初期状態とする。
【００５６】
そして、初期状態から、第２フレーム４９を第１フレーム３２に対して一方向に相対移動させ、第２フレーム４９の第１押圧部５４の押圧面５５で上画像部６２の長手方向の一端面を押圧し、画像板６０の各小片６４を押圧面５５の形状に応じて移動させ、下画像部６３の長手方向の他端面を第１フレーム３２の第１制限部３７の制限面３８に当接させ、この状態を第１変形状態とする。
【００５７】
次に、初期状態から、第２フレーム４９を第１フレーム３２に対して他方向に相対移動させ、第２フレーム４９の第２押圧部５６の押圧面５７で上画像部６２の長手方向の他端面を押圧し、画像板６０の各小片６４を押圧面５７の形状に応じて移動させ、下画像部６３の長手方向の一端面を第１フレーム３２の第２制限部３９の制限面４０に当接させ、この状態を第２変形状態とする。
【００５８】
このように、初期状態から画像板６０の各小片６４を少しずつ移動させて第１変形状態とし、又は初期状態から画像板６０の各小片６４を少しずつ移動させて第２変形状態とすることにより、画像板６０の上画像部６２に設けた画像（人物の顔）６５の表情を例えば笑顔から怒り顔に、又は怒り顔から笑顔に変化させることができるとともに、変化の途中の過程を逐一表示させることができる。
【００５９】
なお、この実施の形態においては、上画像部６２の上面に画像（人物の顔）６５を設けたが、下画像部６３の上部に画像（人物の顔）６５を設けても良いものであり、その場合には、第１のフレーム３２の第１制限部３７を第１押圧部として機能させ、第２制限部３９を第２押圧部として機能させ、第２フレーム４９の第１押圧部５４を第１制限部として機能させ、第２押圧部５６を第２制限部として機能させれば良いものである。
【００６０】
また、上画像部６２の表面と下画像部６３の表面の両方にそれぞれ異なる人物の顔を設けても良いものであり、その場合には、第１フレーム３２の第１制限部３７を第１押圧部と兼用させ、第２制限部３９を第２押圧部と兼用させ、第２フレーム４９の第１押圧部５４を第１制限部と兼用させ、第２押圧部５６を第２制限部と兼用させれば良いものである。
なお、前述のように、人の表情に大きな変化を与えるのは鼻、瞳、目尻を通る線の移動であるから、これらを通る線を表側の画像と裏側の画像とで一致させておけば、各小片６４を表側と裏側とで同じように動かした場合にも両方の面の表情を効果的に変化させることができる。
【図面の簡単な説明】
【００６１】
【図１】本発明による画像変形装置の第１の実施の形態を示したものであって、第１フレームの平面図である。
【図２】第２フレームの平面図である。
【図３】第１フレームと画像板との関係を示した斜視図である。
【図４】第１フレーム及び画像板と第２フレームとの関係を示した斜視図である。
【図５】第１フレームと画像板と第２フレームとの関係を示した斜視図である。
【図６】第１フレームと第２フレームとの関係を示した斜視図である。
【図７】第１の実施の形態の画像変形装置の初期状態を示した部分平面図である。
【図８】第１の実施の形態の画像変形装置の変形状態を示した部分平面図である。
【図９】本発明による画像変形装置の第２の実施の形態を示したものであって、表面側から見た全体の平面図である。
【図１０】図９の正面図である。
【図１１】裏面側から見た全体の平面図である。
【図１２】図１１の正面図である。
【図１３】第２フレームの平面図である。
【図１４】図１３の正面図である。
【図１５】第１フレームの平面図である。
【図１６】図１５の正面図である。
【図１７】画像板の平面図である。
【図１８】図１７の側面図である。
【図１９】第１整列板の平面図である。
【図２０】第２整列板の平面図である。
【符号の説明】
【００６２】
１、３１  画像形成装置
２、３２  第１フレーム
８  制限部
９  制限面
１２、４９  第２フレーム
１６  押圧部
１７  押圧面
１８  画像板
２１  小片
３７  第１制限部
３８、４０  制限面
３９  第２制限部
５４  第１押圧部
５５、５７  押圧面
５６  第２押圧部
【図１】
2005168983.tif 000003
【図２】
2005168983.tif 000004
【図３】
2005168983.tif 000005
【図４】
2005168983.tif 000006
【図５】
2005168983.tif 000007
【図６】
2005168983.tif 000008
【図７】
2005168983.tif 000009
【図８】
2005168983.tif 000010
【図９】
2005168983.tif 000011
【図１０】
2005168983.tif 000012
【図１１】
2005168983.tif 000013
【図１２】
2005168983.tif 000014
【図１３】
2005168983.tif 000015
【図１４】
2005168983.tif 000016
【図１５】
2005168983.tif 000017
【図１６】
2005168983.tif 000018
【図１７】
2005168983.tif 000019
【図１８】
2005168983.tif 000020
【図１９】
2005168983.tif 000021
【図２０】
2005168983.tif 000022